【手続補正書】
【提出日】平成29年6月2日(2017.6.2)
【手続補正１】
【補正対象書類名】明細書
【補正対象項目名】０１０８
【補正方法】変更
【補正の内容】
【０１０８】
【表２】
2016521779.tif 000001
本発明の実施態様の一部を以下の項目［１］−［２１］に記載する。
［項目１］
物品であって、
第１の主表面及び第２の主表面を有する基材と、
第１の主表面及び第２の主表面を有する感圧性接着剤層であって、前記感圧性接着剤層の前記第１の主表面が、前記基材の前記第２の主表面と接触している、感圧性接着剤層と、
第１の主表面及び第２の主表面を有するライナーであって、前記ライナーの前記第１の主表面が、前記感圧性接着剤層の前記第２の主表面と接触しており、前記ライナーの前記第２の主表面が、前記感圧性接着剤層内の複数の凹状構造に対応する複数の凹状構造を含み、前記凹状構造が、前記基材の前記第２の主表面を歪めさせず、かつ前記感圧性接着剤層内の前記凹状構造が、前記ライナーを除去すると不安定になる、ライナーと、を備える、物品。
［項目２］
前記複数の凹状構造が、複数の凹状微細構造を含む、項目１に記載の物品。
［項目３］
前記基材が、フィルム、テープ裏張り、グラフィック物品、プラスチック物品、創傷包帯、保護フィルム若しくはテープ、剛性若しくは半剛性のプレート、又は剥離ライナーを含む、項目１に記載の物品。
［項目４］
前記フィルムが、可視ミラーフィルム、カラーミラーフィルム、太陽光反射フィルム、拡散フィルム、赤外線反射フィルム、紫外線反射フィルム、輝度向上フィルム若しくは二重輝度向上フィルムなどの反射偏光フィルム、吸収性偏光フィルム、光学的に透明なフィルム、薄色フィルム、染色フィルム、光平行化フィルムなどのプライバシーフィルム、カラーフィルターフィルム、反射防止フィルム、防眩フィルム、防汚フィルム、又は指紋防止フィルムを含む、光学的に活性なフィルムを含む、項目３に記載の物品。
［項目５］
前記感圧性接着剤層が、自己湿潤性の感圧性接着剤層を含む、項目１に記載の物品。
［項目６］
前記ライナーが、ポリマーフィルム、コーティングされたポリマーフィルム、又はコーティングされた紙シートを含む、項目１に記載の物品。
［項目７］
前記基材、前記感圧性接着剤層、及び前記ライナーのうちの少なくとも２つが、共押出される、項目１に記載の物品。
［項目８］
前記感圧性接着剤層が、不連続の接着剤層又は分割された接着剤層を含む、項目１に記載の物品。
［項目９］
物品を形成する方法であって、
多層物品を提供することであって、
第１の主表面及び第２の主表面を有する基材と、
第１の主表面及び第２の主表面を有する感圧性接着剤層であって、前記感圧性接着剤層の前記第１の主表面が、前記基材の前記第２の主表面と接触している、感圧性接着剤層と、第１の主表面及び第２の主表面を有するライナーであって、前記ライナーの前記第１の主表面が、前記感圧性接着剤層の前記第２の主表面と接触している、ライナーと、を備える、多層物品を提供することと、
構造化表面を有する工具を提供することと、
前記基材の前記第１の主表面が支持表面と接触するように、前記工具の前記構造化表面と支持表面との間に前記多層物品を配置して、構成体を形成することと、
圧力又は圧力と熱との組み合わせを前記構成体に適用することであって、前記工具の前記表面上の前記構造のうちの少なくともいくつかが、前記ライナー及び前記感圧性接着剤層を歪めさせるが、前記基材の前記第２の主表面を歪めさせず、前記ライナーの前記歪みが、前記適用された圧力が解除されても保持されるように適用することと、を含む、方法。
［項目１０］
前記工具が、微細構造化表面を有する工具を含む、項目９に記載の方法。
［項目１１］
前記感圧性接着剤層上の前記構造が不安定になるが、直ちに崩壊しないように、前記ライナーを前記感圧性接着剤層から分離させることを更に含む、項目９に記載の方法。
［項目１２］
前記感圧性接着剤層の前記表面を被着体と接触させて、感圧接着物品を形成することを更に含む、項目１１に記載の方法。
［項目１３］
前記感圧接着層上の前記構造が、経時的に消失する、項目１２に記載の方法。
［項目１４］
前記感圧接着物品が、光学的物品を含み、前記感圧性接着層が、光学的に透明である、項目１３に記載の方法。
［項目１５］
前記感圧性接着層が、光学的に透明であり、少なくとも９５％の可視光透過率及び５％未満のヘイズを有する、項目１４に記載の方法。
［項目１６］
多層物品を提供することが、前記多層物品の前記層のうちの少なくとも２つの共押出を含む、項目９に記載の方法。
［項目１７］
物品を形成する方法であって、
多層物品であって、
第１の主表面及び第２の主表面を有する感圧性接着剤層と、
第１の主表面及び第２の主表面を有するライナーであって、前記ライナーの前記第１の主表面が、前記感圧性接着剤層の前記第２の主表面と接触している、ライナーと、を備える、多層物品を提供することと、
構造化表面を有する工具を提供することと、
前記感圧性接着剤層の前記第１の主表面が前記支持表面と接触するように、前記工具の前記構造化表面と支持表面との間に前記多層物品を配置して、構成体を形成することと、
圧力又は熱と圧力との組み合わせを前記構成体に適用することであって、前記工具の前記表面上の前記構造のうちの少なくともいくつかが、前記ライナー及び前記感圧性接着剤層を歪めさせるが、前記支持表面と接触せず、前記ライナーの前記歪みが、前記適用された圧力が解除されても保持されるように適用することと、を含む、方法。
［項目１８］
前記工具が、微細構造化表面を有する工具を含む、項目１７に記載の方法。
［項目１９］
前記感圧性接着剤層を前記支持表面から分離させることと、前記感圧性接着剤層を被着体表面と接触させて、感圧接着構成体を形成することと、を更に含む、項目１７に記載の方法。
［項目２０］
前記感圧性接着剤層上の前記構造が不安定になるが、直ちに崩壊しないように、前記ライナーを前記感圧性接着剤層から分離させることと、前記感圧性接着剤層の前記構造化表面を被着体と接触させて、感圧接着物品を形成することと、を更に含む、項目１９に記載の方法。
［項目２１］
前記感圧接着層上の前記構造が、経時的に消失する、項目２０に記載の方法。
【手続補正２】
【補正対象書類名】特許請求の範囲
【補正対象項目名】全文
【補正方法】変更
【補正の内容】
【特許請求の範囲】
【請求項１】
物品であって、
第１の主表面及び第２の主表面を有する基材と、
第１の主表面及び第２の主表面を有する感圧性接着剤層であって、前記感圧性接着剤層の前記第１の主表面が、前記基材の前記第２の主表面と接触している、感圧性接着剤層と、
第１の主表面及び第２の主表面を有するライナーであって、前記ライナーの前記第１の主表面が、前記感圧性接着剤層の前記第２の主表面と接触しており、前記ライナーの前記第２の主表面が、前記感圧性接着剤層内の複数の凹状構造に対応する複数の凹状構造を含み、前記凹状構造が、前記基材の前記第２の主表面を歪めさせず、かつ前記感圧性接着剤層内の前記凹状構造が、前記ライナーを除去すると不安定になる、ライナーと、を備える、物品。
【請求項２】
物品を形成する方法であって、
多層物品を提供することであって、
第１の主表面及び第２の主表面を有する基材と、
第１の主表面及び第２の主表面を有する感圧性接着剤層であって、前記感圧性接着剤層の前記第１の主表面が、前記基材の前記第２の主表面と接触している、感圧性接着剤層と、
第１の主表面及び第２の主表面を有するライナーであって、前記ライナーの前記第１の主表面が、前記感圧性接着剤層の前記第２の主表面と接触している、ライナーと、を備える、多層物品を提供することと、
構造化表面を有する工具を提供することと、
前記基材の前記第１の主表面が支持表面と接触するように、前記工具の前記構造化表面と支持表面との間に前記多層物品を配置して、構成体を形成することと、
圧力又は圧力と熱との組み合わせを前記構成体に適用することであって、前記工具の前記表面上の前記構造のうちの少なくともいくつかが、前記ライナー及び前記感圧性接着剤層を歪めさせるが、前記基材の前記第２の主表面を歪めさせず、前記ライナーの前記歪みが、前記適用された圧力が解除されても保持されるように適用することと、を含む、方法。
【請求項３】
物品を形成する方法であって、
多層物品であって、
第１の主表面及び第２の主表面を有する感圧性接着剤層と、
第１の主表面及び第２の主表面を有するライナーであって、前記ライナーの前記第１の主表面が、前記感圧性接着剤層の前記第２の主表面と接触している、ライナーと、を備える、多層物品を提供することと、
構造化表面を有する工具を提供することと、
前記感圧性接着剤層の前記第１の主表面が前記支持表面と接触するように、前記工具の前記構造化表面と支持表面との間に前記多層物品を配置して、構成体を形成することと、
圧力又は熱と圧力との組み合わせを前記構成体に適用することであって、前記工具の前記表面上の前記構造のうちの少なくともいくつかが、前記ライナー及び前記感圧性接着剤層を歪めさせるが、前記支持表面と接触せず、前記ライナーの前記歪みが、前記適用された圧力が解除されても保持されるように適用することと、を含む、方法。